(57)【要約】【課題】オーバロック部分が膨れ上がるのをなくし、商品価値の高いバスマットやキッチンマット、トイレ用マットを簡単に生産することができるようにする。【解決手段】起毛部分を被処理物の周縁部分から遠ざかる方向にねかせて基布を露出させるガイド部と当該ガイド部で露出させた基布部分を通過させる基布通過用空間部分をガイド部の下方に形成するガイド用定規を形成し、このガイド用定規で被処理物の起毛乃至パイル部分を当該被処理物の周縁部分から遠ざかる方向にねかせて基布を露出させ、露出させた基布を基布通過用空間部分から裁断縫製部に送給し、当該基布部分を裁断縫製部で裁断並びに縫製する。【選択図】図３
0003141869.tif 000002
【実用新案登録請求の範囲】
【請求項１】
起毛を有する被処理物を載置するテーブルと、テーブルに載置された被処理物の周縁部分を規制するガイド用定規とガイド用定規で規定された被処理物の周縁部分を裁断しながらオーバーロック処理する裁断縫製部とを備えてなり、ガイド用定規は、起毛部分を被処理物の周縁部分から遠ざかる方向にねかせて基布を露出させるガイド部と当該ガイド部で露出させた基布部分を通過させる基布通過用空間部分をガイド部の下方に形成するように形成するとともに、当該ガイド用定規を被処理物が裁断縫製部に送られる直前の位置に設けたことを特徴とするオーバーロックミシン。
【請求項２】
オーバーロックミシンの被処理物を載置するテーブルに取り付けられ、被処理物の周縁部分の起毛部分に作用させるガイド用定規であって、オーバーロックミシンのテーブル若しくはミシン本体に取り付けられる取る付け部と、起毛を有する被処理物の起毛部分を被処理物の周縁部分から遠ざかる方向にねかせて基布を露出させるガイド部と、当該ガイド部で露出させた基布部分を通過させる基布通過用空間部分をガイド部の下方に形成するように構成したことを特徴とするオーバーロックミシンに敷設する規制具。
【請求項３】
ガイド用定規を用いて端部処理が施されている起毛布帛は、テーブルに載置された起毛を有する被処理物の周縁部分を規制するガイド用定規のガイド部で被処理物の起毛乃至パイル部分を当該被処理物の周縁部分から遠ざかる方向にねかせて基布を露出させ、露出させた基布を基布通過用空間部分から裁断縫製部に送給し、当該基布部分を裁断縫製部で裁断並びに縫製することにより、被処理物の周縁部分の起毛部分がねかされて端部処理がなされいることを特徴とするガイド用定規を用いて端部処理が施されている起毛布帛。
【考案の詳細な説明】
【技術分野】
【０００１】
本考案は、バスマットやキッチンマット、トイレ用マット等に使用されるカットパイルやループパイル等の起毛を有する素材（被処理物）の周縁を縫製するオーバーロックミシン及びオーバーロックミシンに付設するガイド用定規並びにガイド用定規を用いて端部処理を施してなる起毛布帛に関するものである。
【背景技術】
【０００２】
カットパイルやループパイル及び起毛等の素材を用いてバスマットやキッチンマット、トイレ用マット等を製造する場合、特許文献１及び特許文献２に示されるように、周縁部分を経編地テープで覆うようにして縫着したり、仕上がり寸法より僅かに大きく形成された所定の形状に裁断された素材の周縁部分を切り落としながら解れ止め、いわゆるオーバーロックしながら所望する形状に成形するようになっている。
【０００３】
ところが、起毛等の素材の周縁部分を経編地テープで覆うようにして縫着したり、周縁部分を切り落としながらオーバーロックしたりすると、起毛部分が経編地テープで覆たりオーバーロックされた部分に縫い込まれたりすることから、当該周縁部分が幅広く、大きく膨れ上がった状態になってしまうという問題があった。
こうして被処理物の周縁部分が幅広く大きく膨れ上がった状態になってしまうと、当該部分が硬くなるだけでなく、幅広で膨れ上がった部分が目立つ結果、肝心の起毛部分が小さく映り、見栄えが悪く、商品価値が低下してしまうという問題があった。
【特許文献１】特開２０００−８３７９７号公報
【特許文献２】特開２００２−２６３０３７号公報
【考案の開示】
【考案が解決しようとする課題】
【０００４】
本考案は上記問題点に鑑み提案されたもので、オーバロック部分が膨れ上がるのをなくすことができるガイド用定規を提供できるとともに、このガイド用定規を使用することにより、商品価値の高いバスマットやキッチンマット、トイレ用マットを簡単に生産することができるオーバーロックミシン並びに起毛布帛の端部処理方法を提供できるようにすることを目的とするものである。
【課題を解決するための手段】
【０００５】
上記目的を達成するために、先ず、本考案にかかるオーバーロックミシンは、起毛を有する被処理物を載置するテーブルと、テーブルに載置された被処理物の周縁部分を規制するガイド用定規とガイド用定規で規定された被処理物の周縁部分を裁断しながらオーバーロック処理する裁断縫製部とを備えてなり、ガイド用定規は、起毛部分を被処理物の周縁部分から遠ざかる方向にねかせて基布を露出させるガイド部と当該ガイド部で露出させた基布部分を通過させる基布通過用空間部分をガイド部の下方に形成するように形成するとともに、当該ガイド用定規を被処理物が裁断縫製部に送られる直前の位置に設けたことを最も主要な特徴とするものである。
【０００６】
次に、オーバーロックミシンに付設するガイド用定規は、オーバーロックミシンの被処理物を載置するテーブルに取り付けられ、被処理物の周縁部分の起毛部分に作用させるガイド用定規であって、オーバーロックミシンのテーブル若しくはミシン本体に取り付けられる取る付け部と、起毛を有する被処理物の起毛部分を被処理物の周縁部分から遠ざかる方向にねかせて基布を露出させるガイド部と、当該ガイド部で露出させた基布部分を通過させる基布通過用空間部分をガイド部の下方に形成するように構成したことを最も主要な特徴とするものである。
【０００７】
そして、ガイド用定規を用いて端部処理が施されている起毛布帛は、テーブルに載置された起毛を有する被処理物の周縁部分を規制するガイド用定規のガイド部で被処理物の起毛乃至パイル部分を当該被処理物の周縁部分から遠ざかる方向にねかせて基布を露出させ、露出させた基布を基布通過用空間部分から裁断縫製部に送給し、当該基布部分を裁断縫製部で裁断並びに縫製することにより、被処理物の周縁部分の起毛部分がねかされて端部処理がなされいる起毛布帛であることを最も主要な特徴とするものである。
【考案の効果】
【０００８】
本考案にかかるオーバーロックミシンは、起毛を有する被処理物を載置するテーブルに起毛布帛の周縁部分を規制するガイド用定規を被処理物が裁断縫製部に送られる直前の位置に設けることにより、商品価値の高いバスマットやキッチンマット、トイレ用マットを簡単に生産することができるオーバーロックミシンを形成することができる。
したがって、既存のオーバーロックミシンにも規制を、被処理物が裁断縫製部に送られる直前の位置に設けるだけで簡単に付設することができる利点がある。
【０００９】
また、本考案にかかるガイド用定規は、ガイド用定規は、オーバーロックミシンのテーブル若しくはミシン本体に取り付けられる取り付け部と、被処理物の起毛乃至パイルを被処理物の周縁部分から遠ざかる方向にねかせて基布を露出させるガイド部と、当該ガイド部で露出させた基布部分を通過させる基布通過用空間部分をガイド部の下方に形成するだけの簡単な構造であることから、ガイド用定規を安価に実施することができる利点がある。
【００１０】
そして、本考案にかかるガイド用定規を用いて端部処理が施されている起毛布帛では、テーブルに載置された被処理物の周縁部分を規制するガイド用定規のガイド部で被処理物の起毛部分を当該被処理物の周縁部分から遠ざかる方向にねかせて基布部分を露出させ、露出させた基布部分を基布通過用空間部分から裁断縫製部に送給し、当該基布部分を裁断縫製部で裁断並びに縫製するだけの従来どおりの簡単な操作でオーバーロック部分の幅が小さく目立ことがなく、肝心の起毛乃至パイル部分が大きく映る商品価値の高いバスマットやキッチンマット、トイレ用マットを提供することができる利点がある。
【００１１】
また、従来のように周縁をカバーする経編地テープを使用しなくても済むことから、その分、製造コストを安価にできるとともに、経編地テープを添着する手間もなくせて、生産性を大幅に向上させることができる利点もある。
【考案を実施するための最良の形態】
【００１２】
以下、本考案にかかるオーバーロックミシン及びオーバーロックミシンに付設するガイド用定規並びに起毛布帛の端部処理方法の最も好ましい実施の形態を図面に基づいて説明する。
図１は本考案にかかるガイド用定規を付設したオーバーロックミシンの全体斜視図であって、図中符号１はオーバーロックミシンを全体的に示す。
このオーバーロックミシン１は、駆動装置（図示せず）が組み込まれた筐体２と、この筐体２の左方に設けられたテーブル３と、テーブル３の筐体２側部分に設けられ、前記駆動装置で駆動される裁断縫製部４と、裁断縫製部４の手前のテーブル３部分に設けられたガイド用定規５とを備えてなる。
【００１３】
上記裁断縫製部４は、既存のオーバーロックミシン１と同様に、図外の電動モータの回転を筐体２に組み込まれた駆動装置を介して裁断部分６の裁断刃７を上下昇降摺動させて被処理物としての起毛布帛８（図５及び図６参照）を裁断し、裁断された部分を張力調整装置９で張力調整された縫い糸（図示せず）でオーバーロックする縫製部分１０とで構成されている。
上記テーブル３は筐体２の左方に水平に広がった矩形に形成されており、このテーブル３の前記裁断縫製部４の直前（被処理物の供給方向上手側）にガイド用定規５が取り付けられている。
【００１４】
このガイド用定規５は、図１乃至図４に示すように、テーブル３の手前側側縁部分１１に取り付けられる取り付け用金具１２と、この取り付け用金具１２を介してテーブル３に取り付けられる規制部材１３とからなる。
上記取り付け用金具１２は、テーブル３の手前側側縁部分１１に当接する垂直な取り付け部１４と、この垂直な取り付け部１４から折り曲げられ、後述する規制部材１３の固定部１５が固定される水平な支持部１６とからなり、取り付け部１４にはビス等の固定部材１７が挿通される取り付け位置調整用の長孔１８が形成されるとともに、水平な支持部１６には規制部材１３の固定部１５を固定するビス１９が螺合するためのねじ孔２０が形成されている。
【００１５】
規制部材１３は、正面視で「コ」字形に折り曲げ形成された本体部分２１と、当該本体部分２１の先端部分に折り曲げ形成により一体形成された起毛ガイド部２２と、本体部分２１をテーブル３上に配設するために、上記水平な支持部１６に取り付けるL型の固定部１５とからなり、この固定部１５は本体部分２１の背面部分（図３上、右側面部分）２１ａにロウ付け等の固着手段で固定されて、本体部分２１と一体化されている。
また、L型の固定部１５の水平に延びる部分には位置調節用の長孔２３が穿設されている。
上記起毛ガイド部２２は、その先端部分が筐体２から徐々に離間し、起毛部分２４を筐体２から徐々に離間方向に撫で付ける方向に傾斜させるとともに、ガイド用定規５がテーブル３に取りつけられたとき、図４に示すように、起毛ガイド部２２の下端とテーブル３の上面との間に起毛布帛８の基布２５を通過させるための基布通過用空間２６が形成されている（図４参照）。
【００１６】
上記のように形成されたガイド用定規５をテーブル３上へ設置し、使用する手順（縫製方法）を次に説明する。
先ず、取り付け具１２の垂直な取り付け部１４に形成された長孔１８から挿通した固定部材１７を、オーバーロックミシン１のテーブル３の手前側の側縁部分１１に形成された雌ねじ（図示せず）に螺合させて取り付け用金具１２を固定する。
このとき、既存のオーバーロックミシン１では上記雌ねじを新たに穿設することにより上記取り付け用金具１２をテーブル３に取り付けることができる。
次に、規制部材１３を所望する位置にし、固定部１５の位置調節用の長孔１８を挿通させたビス１９をテーブル３に固定された上記取り付け用金具１２のねじ孔２０に螺合させてしっかりと固定すると、ガイド用定規５の取り付けが完了する。
【００１７】
上記のようにしてテーブル３にガイド用定規５が設置されると、オーバーロックミシン１を起動させ、図５に示すように起毛布帛８の起毛部分２４を上にした状態でオーバーロック処理する周縁部分をガイド用定規５を通して裁断縫製部４に送り込む。
ガイド用定規５に起毛布帛８が送り込まれると、この送り込みと裁断縫製部４の搬送駆動により起毛布帛８の起毛部分２４が起毛ガイド部２２により裁断縫製部４から遠ざかる方向に撫でつけられて、基布２５部分が露出した状態で裁断縫製部４に送られる。
裁断縫製部４では露出した基布２５部分が裁断部分６の裁断刃７で削ぎ落として切り揃えられ、この削ぎ落とされて揃えられた基布２５部分が起毛ガイド部２２の下端とテーブル３の上面との間に起毛布帛８の基布を通過させるための基布通過用空間２６から縫製部分１０に送られてオーバーロック処理２７される。
尚、図５中、符号２８は裁断部分６の裁断刃７で削ぎ落とされた基布２５の残滓である。
【００１８】
こうして裁断縫製部４で処理された起毛布帛８は、起毛ガイド部２２により起毛部分２４がオーバーロック処理２７部分に入り込まないように撫で付けられていることから、図６に示すようにオーバーロック処理２７された部分はその厚みが薄く、幅も狭くなる。
これにより、オーバーロック処理２７された部分は、そのほとんどが外側に広がろうとする起毛部分２４に覆われてしまうので、目立たなくなる。
【００１９】
尚、上記実施の形態では、図上規制部材１３の本体部分２１とこれを固定する固定部１５とがロウ付け等の固着手段で固定されて、本体部分と一体化されているがこうしたものに限られず、正面視で「コ」字形に折り曲げ形成された本体部分の底辺の１部を１８０度反対側に折り曲げることにより規制部材１３の固定部１５にすることができるのは勿論のことである。
また、規制部材１３の本体部分２１、起毛ガイド部２２および固定部１５は樹脂で一体成形することも可能である。
この場合、固定部１５に代えて取り付け用金具１２を、規制部材１３の本体部分２１、起毛ガイド部２２と一体に形成することすることもできる。
【図面の簡単な説明】
【００２０】
【図１】は本考案にかかるガイド用定規を設けたオーバーロックミシンの概略を示す斜視図である。
【図２】は本考案にかかるガイド用定規を設けたオーバーロックミシンのガイド用定規部分の斜視図である。
【図３】は本考案にかかるガイド用定規を設けたオーバーロックミシンのガイド用定規部分の分解斜視図である。
【図４】は本考案にかかるガイド用定規を設けたオーバーロックミシンのガイド用定規部分の正面図である。
【図５】は本考案にかかるガイド用定規を設けたオーバーロックミシンのガイド用定規の作用説明図である。
【図６】は本考案にかかるガイド用定規を設けたオーバーロックミシンで処理された起毛布帛（被処理物）の一部を示す斜視図である。
【符号の説明】
【００２１】
１・・・オーバーロックミシン
３・・・テーブル
４・・・裁断縫製部
５・・・ガイド用定規
６・・・裁断部分
７・・・裁断刃
８・・・起毛布帛（被処理部）
１０・・・縫製部分
２２・・・起毛ガイド部
２４・・・起毛部分
２５・・・基布
２６・・・基布通過用空間
２７・・・オーバーロック処理
【図１】
0003141869.tif 000003
【図２】
0003141869.tif 000004
【図３】
0003141869.tif 000005
【図４】
0003141869.tif 000006
【図５】
0003141869.tif 000007
【図６】
0003141869.tif 000008